(57)【特許請求の範囲】
【請求項１】
筺体に開閉蓋を取り付け、その開閉蓋で覆われる部分をステージとして該ステージに情報記録媒体をドライブする駆動体を装置した情報記録媒体の駆動装置であって、
前記開閉蓋は、その開閉動作をステージに沿う横ずれ移動と該開閉蓋の端縁に沿う軸線回りの回転移動とに交互に切り替え得る方向変換機構を介して筺体に取り付けられ、この開閉蓋の横ずれ移動によってステージが部分的に開閉される一方、その回転移動によりステージが全開とされて前記駆動体に対する情報記録媒体の着脱が可能とされ、
前記方向変換機構は、これを作動させる動力源により所定の回転角変位を与えられて其の回転中心より離隔する部位に設けた突起が始点と中継点及び該中継点と終点との間を円軌道を描いて移動するようにした原動節と、この原動節の突起が始点と中継点との間を移動するときに該突起と係合することによって揺動される従動節と、この従動節により其の逆向きに揺動されて連結する開閉蓋を横ずれ移動させる揺動アームと、開閉蓋と原動節との部位を連結して該原動節の突起が中継点と終点との間を移動するときに開閉蓋を前記揺動アームの連結部を中心にして回転移動させる支持アームとで構成されていることを特徴とする情報記録媒体の駆動装置。
【請求項２】
筺体に開閉蓋を取り付け、その開閉蓋で覆われる部分をステージとして該ステージに情報記録媒体をドライブする駆動体を装置した情報記録媒体の駆動装置であって、
前記開閉蓋は、その開閉動作をステージに沿う横ずれ移動と該開閉蓋の端縁に沿う軸線回りの回転移動とに交互に切り替え得る方向変換機構を介して筺体に取り付けられ、この開閉蓋の横ずれ移動によってステージが部分的に開閉される一方、その回転移動によりステージが全開とされて前記駆動体に対する情報記録媒体の着脱が可能とされ、
前記方向変換機構は、開閉蓋の両側縁に固定されるブラケットと、前記方向変換機構を作動させる動力源により所定の回転角変位を与えられて其の回転中心より離隔する部位に設けた突起が始点と中継点及び該中継点と終点との間を円軌道を描いて移動するようにした原動節と、この原動節の突起が始点と中継点との間を移動するときに該原動節により揺動されつつ連結するブラケットを介して開閉蓋を横ずれ移動させる揺動アームとで成り、前記ブラケットは原動節の突起が中継点と終点との間を移動するときに該突起により前記揺動アームとの連結部を中心にして揺動されつつ開閉蓋を回転移動させるよう構成されていることを特徴とする情報記録媒体の駆動装置。
【発明の詳細な説明】
【０００１】
【発明の属する技術分野】
本発明は、情報記録媒体の駆動装置に係わり、特にＣＤやＤＶＤといったディスクを回転させながらその記録情報を再生するディスクプレーヤに関する。
【０００２】
【従来の技術】
従来、その種の装置はディスクの再生に用いる機器類をドライブユニットとして筺体に収め、そのドライブユニット上へのディスクの案内を筺体に形成したスリット状の装填口からローディング機構を介して行うか、又はドライブユニットを可動式の棚に装置してディスクを装填する場合にその棚を筺体から引き出し得るようにしている。
【０００３】
ところが、その種の構造では操作用のスイッチ類の多くが筺体の外面より露出されるために、体裁が損なわれるばかりでなく、非使用時にスイッチ類を誤操作してしまうことがあった。
【０００４】
一方、筺体の上面などにヒンジを介して開閉蓋を取り付け、その開閉蓋で覆われる部分にドライブユニットを装置し、これに対するディスクの着脱を開閉蓋の開放によって行えるようにしたものもある。そして、そのようなディスクプレーヤによれば、開閉蓋の内側にスイッチ類の多くを設けて非使用時にそれを遮蔽することができる。
【０００５】
【発明が解決しようとする課題】
然し乍ら、以上のような蓋付きのプレーヤではスイッチ類の全てを遮蔽することができても、一時停止、選曲、音量調整など、ディスクを交換する場合以外の操作でも其の都度蓋を開閉しなければならぬという煩わしさがあり、このため緊急を要する操作が遅れるなど操作性に難点があった。
【０００６】
勿論、使用中に蓋を全開状態のままにしておくこともできるが、これでは美観が損なわれるし、埃などが内部に侵入して堆積し易くなることからディスクや装置自体にとっても好ましくない。
【０００７】
そこで、例えば特開平７−３０７０８７号のように蓋をスライド式にして、これを全閉、半開、全開の各状態に切り替えられるようにし、半開状態でディスクの着脱に係わる以外の操作を全て行えるようにしたものがある。
【０００８】
然るに、スライド式の蓋を取り付ける場合、筺体を縦型にするなどにして蓋の移動方向にそれ相応の動作域を確保しなければないらないから、装置の小型化が非常に難しく、しかも本案のように蓋のスライドに連動して再生用のユニットが迫り出すような構成では蓋とユニットとを動作させる機構が混在して非常に複雑な構造になってしまう。
【０００９】
本発明は以上のような事情に鑑みて成されたものであり、その目的とする処は可及的小型にして体裁がよく、ディスクを主とする情報記録媒体の着脱その他の操作を円滑に行うことが可能なディスクプレーヤほか情報記録媒体の駆動装置を提供することにある。
【００１０】
【課題を解決するための手段】
本発明は上記の目的を達成するため、筺体１に開閉蓋２を取り付け、その開閉蓋２で覆われる部分をステージ８として該ステージに情報記録媒体をドライブする駆動体１０を装置した情報記録媒体の駆動装置であって、
前記開閉蓋２は、その開閉動作をステージ８に沿う横ずれ移動と該開閉蓋の端縁に沿う軸線回りの回転移動とに交互に切り替え得る方向変換機構２０を介して筺体１に取り付けられ、この開閉蓋２の横ずれ移動によってステージ８が部分的に開閉される一方、その回転移動によりステージ８が全開とされて前記駆動体１０に対する情報記録媒体の着脱が可能とされ、
前記方向変換機構２０は、これを作動させる動力源２６により所定の回転角変位を与えられて其の回転中心より離隔する部位に設けた突起３１が始点Ｍ０と中継点Ｍ１及び該中継点Ｍ１と終点Ｍ２との間を円軌道を描いて移動するようにした原動節２１と、この原動節の突起３１が始点Ｍ０と中継点Ｍ１との間を移動するときに該突起３１と係合することによって揺動される従動節２２と、この従動節により其の逆向きに揺動されて連結する開閉蓋２を横ずれ移動させる揺動アーム２３と、開閉蓋２と原動節２１との部位を連結して該原動節２１の突起３１が中継点Ｍ１と終点Ｍ２との間を移動するときに開閉蓋２を前記揺動アームの連結部３８を中心にして回転移動させる支持アーム２４とで構成されていることを特徴とする。
【００１１】
又、筺体１に開閉蓋２を取り付け、その開閉蓋２で覆われる部分をステージ８として該ステージに情報記録媒体をドライブする駆動体１０を装置した情報記録媒体の駆動装置であって、
前記開閉蓋２は、その開閉動作をステージ８に沿う横ずれ移動と該開閉蓋の端縁に沿う軸線回りの回転移動とに交互に切り替え得る方向変換機構４０を介して筺体１に取り付けられ、この開閉蓋２の横ずれ移動によってステージ８が部分的に開閉される一方、その回転移動によりステージ８が全開とされて前記駆動体１０に対する情報記録媒体の着脱が可能とされ、
前記方向変換機構４０は、開閉蓋２の両側縁に固定されるブラケット４９と、前記方向変換機構を作動させる動力源４３により所定の回転角変位を与えられて其の回転中心より離隔する部位に設けた突起４２が始点Ｍ０と中継点Ｍ１及び該中継点Ｍ１と終点Ｍ２との間を円軌道を描いて移動するようにした原動節４１と、この原動節の突起４２が始点Ｍ０と中継点Ｍ１との間を移動するときに該原動節４１により揺動されつつ連結するブラケット４９を介して開閉蓋２を横ずれ移動させる揺動アーム５１とで成り、前記ブラケット４９は原動節の突起４２が中継点Ｍ１と終点Ｍ２との間を移動するときに該突起４２により前記揺動アームとの連結部５１Ｂを中心にして揺動されつつ開閉蓋２を回転移動させるよう構成されていることを特徴とする。
【００１２】
【発明の実施の形態】
以下、本発明の適用例を図面に基づいて詳細に説明する。先ず、図１は本発明の好適な一例として、ＣＤ（コンパクトディスク）、ＤＶＤ（ディジタルビデオディスク）といった光ディスク、又は磁気、光磁気ディスクなどのディスク状情報記録媒体（以下、ディスクという）の再生、又はそれらに対する情報の記録に用いられるラジオ機能をもったディスクプレーヤを示す。
【００１３】
図１において、１は筺体であり、その内部にはディスクを回転駆動される後述のターンテーブルほか、回転中のディスクに沿って走行しつつ其の記録情報を読み取る光ピックアップなどの電子部品をユニット化したドライブユニットが装置される。２はその上面に後述する方向変換機構を介して開閉可能に取り付けた開閉蓋であり、その開放時には選曲など所定の操作やディスクの出し入れが可能とされる。又、３は押釦式の主電源スイッチ、４は同操作スイッチ（第１の操作スイッチ）、５はディスクの作動状態などを表示する液晶パネルその他で成る表示部であり、これらは図示するように筺体１の前面より露出する状態に装置され、開閉蓋２の状態に拘わらず常に視認することができ、特に主電源スイッチ３や操作スイッチ４では其のスイッチング操作に即時対応できるようになっている。
【００１４】
このうち、操作スイッチ４は開閉蓋２の開閉操作に用いるものであり、図１の状態すなわち開閉蓋２が全閉の状態にあって該操作スイッチ４を押圧操作することにより、開閉蓋２が部分的に開放するようになっている。
【００１５】
図２は其の状態を示す。この図で明らかなように、開閉蓋２は操作スイッチ４の操作により図示矢印の如く筺体１の上面に沿って横ずれ移動（平行移動）するようになっている。その移動量は数ｃｍ程度であり、特にこの移動により開かれる領域は操作部６とされ、この操作部６には図示する如く開閉蓋２の前端縁に沿って第２の操作スイッチ７Ａを含む操作スイッチ群７が直列状に配列される。操作スイッチ群７は特定の制御信号を発信する釦を順に羅列して成るものであり、これには例えばディスクの再生開始、一時停止、選曲頭だし、音量調整、ラジオ受信その他が含まれる。このうち、操作スイッチ７Ａは例えば同群の一端部に装置され、その操作時には図２のように半開状態にある開閉蓋２を全開状態に至らしめることができる。
【００１６】
その状態を図３に示して説明すれば、開閉蓋２は其の横ずれ移動よる半開位置で図示矢印の如くその後端縁に沿う軸線回りの回転移動（揺動）が可能とされている。そして、操作スイッチ７Ａはその押圧操作によって開閉蓋２を回転移動させるための制御信号を発信するのであり、これにより半開状態の開閉蓋２を図３の如く全開可能とし、このとき後述する駆動体に対してのディスクの着脱を行え得るようにしてある。
【００１７】
ここで、図３から明らかなように、筺体１の上面は開閉蓋２により覆われる平面状のステージ８とされる。そして、そのステージ８は上述の如く操作スイッチ４の操作により操作可能に現れる操作スイッチ群７を配置した操作部６と、ディスクを装着するための装填部９とに区分され、このうち操作スイッチ７Ａの操作で開閉蓋２が全開とされることによって現れる装填部９には、ディスクをドライブすなわち回転駆動させる駆動体としてのターンテーブル１０が設けられる。特に、装填部９にはターンテーブル１０を中心として装填部９の境界を成す円形の窪地１１を形成し、その窪地１１の部位に図示せぬ光ピックアップの動作域に対応する窓１２を開口している。そして、窪地１１の内側でターンテーブル１０上に装着したディスクがターンテーブル１０で保持されつつ所定方向に回転されるとき、窓１２の内側で光ピックアップがディスクの半径方向に沿って移動しながら其の記録情報を読み取ることになる。
【００１８】
尚、ターンテーブル１０はその対向側に円盤状のクランパを装置せずしてディスクを保持し得る公知の自己チャッキング機能をもつものであり、その構造としてはターンテーブルに数個の鋼球を半径方向に摺動自在にして設け、その各鋼球をバネ圧でターンテーブルの周縁に向けてそれぞれ放射状に押し広げるようにしたものが知られる。そして、その種の構造によれば、ディスクの中心をターンテーブル上で押し込むことにより各鋼球によってディスクの中心孔周縁を保持することができる。
【００１９】
次に、図４〜図１１により方向変換機構の一例を説明する。ここで、図４は本機構を部分的に破断して示した正面図、図５は同機構の他の部位を破断して示した平面図であり、図６〜１１には同機構によって開閉蓋が全閉状態から全開状態とされるまでの動きが順に示される。尚、これらの図には開閉蓋の片側のみが示されるが、本機構は開閉蓋の両側縁に沿って筺体の両側に設けられる。
【００２０】
これらの図から明らかなように、本機構２０は原動節２１、従動節２２、揺動アーム２３、及び支持アーム２４の四節から構成される。このうち、原動節２１は筺体１の内側面１Ａに沿って回転軸２５上に固定され、その回転軸２５に伝達される動力源たるモータ２６の動力を得て回転軸２５を回転中心として正逆に所定の回転角変位を与えられる。ここで、モータ２６の駆動軸と回転軸２５とにはベルト２７で繋がるプーリ２８，２９が固定される。又、原動節２１には回転軸２５を中心とする円弧状の突条３０が形成され、その突条３０より外側の部位には該原動節の回転角変位により回転軸２５を中心に円軌道を描いて移動するピン状の突起３１が設けられる。そして、この原動節２１は従動節２２と共に、突起３１が従動節２２の部位と係合するときのみ該従動節２２を揺動させるといった外接ゼネバを構成する。
【００２１】
尚、従動節２２はその一端が揺動中心を成すギヤ部３２として筺体の内側面１Ａにピン接合され、その逆側の端面に原動節の突起３１と係合するガイド溝３３が形成されると共に、そのガイド溝３３の両側には原動節の突条３０に摺接する円弧状のスライド面３４が形成される。
【００２２】
一方、揺動アーム２３は一端が開閉蓋２にピン接合され、他端には従動節２２のギヤ部３２と噛み合うギヤ部３５が形成される。尚、開閉蓋２の両側縁には長方形状のブラケット２Ａが形成され、そのブラケット２Ａの後端側に揺動アーム２３の一端を連結していると共に、ギヤ部３５の中心は揺動中心として筺体の内側面１Ａにピン接合される。
【００２３】
又、支持アーム２４は所定形状をした板状のリンクとして、開閉蓋２と原動節２１との部位を連結している。特に、原動節２１側は接合部３６Ａとして突条３０より外側の偏心点にピン接合され、開閉蓋２側は接合部３６Ｂとしてブラケット２Ａの前端側にピン接合される。尚、図示する支持アーム２４は扇形にして其の一部に回転軸２５を跨ぐ逃げ溝３７を形成するが、その全形を弓形とするなどして逃げ溝３７を省略することもできる。
【００２４】
ここで、以上のように構成されるディスクプレーヤの作用を説明する。先ず、図１に示すように開閉蓋２が全閉状態において、外部には表示部５ほか主電源スイッチ３と操作スイッチ４のみが現れる。尚、主電源スイッチ３は内部機器を可動状態とするものであり、例えばこの押圧操作によって表示部５に照明が灯される。そして、この状態で操作スイッチ４を押圧すると、方向変換機構２０の一次作動により開閉蓋２が横ずれ移動し、これにより図２に示すようステージの操作部６のみが開かれて操作スイッチ群７が操作可能に現れる。そして、その操作スイッチ群７の操作により予め装置内部に装填されたディスクの再生、一時停止、選曲、音量調整ほか、ラジオ受信が可能とされる。
【００２５】
特に、操作スイッチ７Ａの押圧操作時には、方向変換機構２０の二次作動により、開閉蓋２が図２に示す半開状態から図３に示すように回転移動してステージ８が全開とされる。これにより、装填部９も開かれて駆動体たるターンテーブル１０に対してのディスクの着脱が可能とされる。そして、ディスクを交換するなどした後、操作スイッチ７Ａを再び押圧操作すると、方向変換機構２０の逆作動により開閉蓋２が回転移動してステージ８が操作部６を残して閉じられる。このとき、交換したディスクを上述のように操作スイッチ群７の操作により再生するなどできることは勿論、これを再生中のまま操作スイッチ４を操作して開閉蓋２を前方に向けて横ずれ移送させることにより操作スイッチ群７すら遮蔽することができる。
【００２６】
尚、第１の操作スイッチ４と第２の操作スイッチ７Ａの操作時において、方向変換機構２０は以下のように作動する。先ず、図６は開閉蓋２が図１のように全閉とされているときの状態を示す。このとき、原動節２１はモータ２６から動力を受けぬまま突起３１が始点Ｍ０  にあって従動節のガイド溝３３と係合したまま静止している。そして、この状態で操作スイッチ４が押圧されると図示せぬ制御回路を介してモータ２６に開閉蓋２を横ずれ移動させる制御信号が発信されるのであり、これによりモータ２６が駆動して原動節２１を所定方向に所定角度だけ揺動させることになる。
【００２７】
特に、モータ２６は原動節の突起３１が図８に示すように従動節のガイド溝３３から外れる中継点Ｍ１  に到達するまで駆動される。つまり、原動節２１は操作スイッチ４の操作時に、モータ２６によって突起３１が始点Ｍ０  から中継点Ｍ１  に到達するまでの回転角変位を与えられるのである。そして、その突起３１は始点Ｍ０  から中継点Ｍ１  まで回転軸２５を中心に円軌道を描いて移動する間、従動節２２のガイド溝３３に係合して該従動節を原動節２１の逆向きに揺動させるようになっている。このため、従動節のギヤ部３２に噛み合うギヤ部３５をもつ揺動アーム２３は従動節２２により其の逆向きに揺動されつつ、連結する開閉蓋２を図６〜８に示すよう横ずれ移動（後退）させるのである。そして、このとき図２に示すようにステージの操作部６が開かれて操作スイッチ群７が現れることになる。尚、開閉蓋２は図７に示すよう揺動アーム２３の高さ変化分Ｈだけ緩やかな円弧軌道を描いて横ずれ移動するが、揺動アーム２３の連結部３８を長孔などのルーズホールにして開閉蓋２をステージ８と一定の距離を保ったまま横ずれ移動させることもできる。
【００２８】
ところで、原動節２１の回転角変位により突起３１が始点Ｍ０  から中継点Ｍ１まで移動する間、支持アーム２４は図６〜８のように原動節２１と開閉蓋２とに対する両端接合部３６Ａ，３６Ｂが回転軸２５を中心に揺動アーム２３と平行状態を保って運動するようにしてあることから、開閉蓋２がステージ８に沿う横ずれ移動をするに留まり回転移動に至らない。
【００２９】
ここで、その横ずれ移動により現れる操作スイッチ７Ａを押圧操作すると、図示せぬ制御回路を介してモータ２６に開閉蓋２を回転移動させるための制御信号が発信されるのであり、これによりモータ２６が再駆動して原動節２１に再び回転角変位を与えることになる。特に、モータ２６は原動節２１の突起３１が図８に示す中継点Ｍ１  から図１１に示す終点Ｍ２  に到達するまで駆動される。つまり、原動節２１は操作スイッチ７Ａの操作時に、モータ２６によって突起３１が中継点Ｍ１  から終点Ｍ２  に到達するまでの回転角変位を与えられるのである。そして、このとき突起３１は従動節のガイド溝３３と係合しないまま終点Ｍ２  に向けて移動するのであり、このため従動節２２や揺動アーム２３が静止状態に保たれつつ、支持アーム２４のみが原動節２１によって揺動されることになる。これにより、支持アーム２４は原動節２１との接合部３６Ｂを開閉蓋２側に向けて次第に迫り上げられる。斯くて、開閉蓋２は支持アーム２４により其の接合部３６Ｂであるブラケット２Ａの前端部を迫り上げられつつ揺動アームとの連結部３８を中心として回転移動されることになる。この結果、ステージ８が図３又は図１１のように全開とされてターンテーブル１０上へのディスクの装着、及び其の取り出しが可能とされる。
【００３０】
尚、この状態で操作スイッチ７Ａを再度操作すれば、方向変換機構２０が上述と逆の動作をしてステージ８を部分閉鎖するよう回転移動し、次いで操作スイッチ４を操作すれば同じく開閉蓋２が前方に向けて横ずれしてステージ８が全閉される。つまり、開閉蓋２の全開時に操作スイッチ７Ａを操作することにより、モータ２６が逆転して原動節の突起３１を終点Ｍ２  から中継点Ｍ１  まで移動させ、次いで操作スイッチ４が操作されることによって突起３１を中継点Ｍ１  から始点Ｍ０  へ移動させるようモータ２６が駆動するのである。尚、開閉蓋２の全開時に操作スイッチ４を操作ことにより開閉蓋２が全閉状態になるまでモータ２６が連続して駆動するよう制御回路を構成することもできる。ここで、モータ２６の駆動制御はタイマほか、回転軸２５上にロータリエンコーダやカム式スイッチを設けるなどして行うことができる。
【００３１】
以上、本発明の一例を説明したが、方向変換機構はリンク、カム、又は歯車などを組み合わせるなどして上記例以外にも様々な形態にすることができる。例えば、図１２〜１４に示すような方式が考えられる。尚、図１２〜１４は同方向変換機構４０の動作状態を順に示したものである。ここで、４１は円盤状にした原動節であり、これは其の中心を筺体の内側面１Ａにピン接合するなどして回転可能に設けられる。特に、原動節４１には其の回転中心から離隔した部位にピン状の突起４２が設けられる。そして、この原動節４１も動力源としてのモータ４３により突起４２が始点Ｍ０  と中継点Ｍ１  、及び中継点Ｍ１  と終点Ｍ２  との間を円軌道を描いて移動するといった回転角変位を与えられるようになっている。尚、原動節４１は例えば歯車として、モータ４３の動力がその駆動軸に固定したプーリ４４、回転軸４５上に設けたプーリ４６、それらプーリ４４，４６に掛けられるベルト４７、及び回転軸４５の端部に固定される歯車４８とを介して伝達するよう構成される。
【００３２】
一方、開閉蓋２の両側縁には従節を成すブラケット４９が固定される。特に、ブラケット４９の下部には原動節の突起４２が始点Ｍ０  から中継点Ｍ１  へ到達した時点で導入するガイド溝５０が形成される。
【００３３】
又、５１は三角形の板状にした揺動アームであり、その各頂部５１Ａ〜５１Ｃがそれぞれ筺体の内側面１Ａ、ブラケット４９、及び原動節４１とに接続させている。特に、頂部５１Ａ，５１Ｂはそれぞれ筺体の内側面１Ａとブラケット４９の後端部とにピン接合され、残る頂部５１Ｃには案内ピン５２を形成して該案内ピンを原動節４１の裏面に形成したカム溝５３に係合させている。尚、５４は筺体の内側面１Ａに固定したピン、５５はピン５４に対応してブラケット４９に形成した水平状の溝であり、開閉蓋２の横ずれ移動時には溝５５がピン５４にて案内され、開閉蓋２の横ずれ移動後には溝５５がピン５４の位置から外れて開閉蓋２の回転移動が阻害されないようにしてある。
【００３４】
そして、本例の方向変換機構４０によれば、原動節４１の回転角変位により突起４２が始点Ｍ０  から中継点Ｍ１  に向けて移動するとき、揺動アーム５１が其の頂部５１Ａを中心としてカム溝５３の形状に沿って原動節４１の逆向きに揺動され、これにより連結するブラケット４９を引き連れつつ開閉蓋２を横ずれ移動させるようになっている。又、原動節４１がモータ４３により更に回転角変位を与えられ、これにより突起５２が中継点Ｍ１  から終点Ｍ２  に向けて移動するとき、原動節のカム溝５３が一定の円弧を形成して揺動アームの案内ピン５２に対して変位しないようになっている。このため、揺動アーム５１は揺動されることなく静止状態に保たれる。一方、突起４２はブラケットのガイド溝５０に係合しながら移動してブラケット４９を迫り上げるよう作用する。つまり、突起４２がガイド溝５０の側壁を押圧しながら移動することにより、ブラケット４９が揺動アーム５１との連結部（揺動アームの頂部５１Ｂ）を中心として原動節４１の逆向きに揺動されつつ開閉蓋２を回転移動させることになる。
【００３５】
ここで、以上のように構成される方向変換機構４０の動作をより詳細に説明する。先ず、図１２は開閉蓋が図１のように全閉とされているときの状態を示す。このとき、原動節４１はモータ４３から動力を受けぬまま突起４２が始点Ｍ０  にあってブラケットのガイド溝５０と係合しない状態で静止している。そして、この状態で操作スイッチ４が押圧されると、図示せぬ制御回路を介してモータ４３に開閉蓋２を横ずれ移動させる制御信号が発信されるのであり、これによりモータ４３が駆動して原動節４１を所定方向に所定角度だけ揺動させることになる。特に、モータ４３は原動節の突起４２が図１３に示すようにブラケットのガイド溝５０と係合する中継点Ｍ１  に到達するまで駆動される。つまり、原動節４１は操作スイッチ４の操作時に、モータ４３によって突起４２が始点Ｍ０  から中継点Ｍ１  に到達するまでの回転角変位を与えられるのである。そして、このとき揺動アーム５１が案内ピン５２を原動節のカム溝５３に係合させたまま頂部５１Ａを中心にして原動節４１と逆向きに揺動され、連結するブラケット４９を介して開閉蓋２を図１３に示すように横ずれ移動（後退）させることになる。この結果、図１に示すようにステージの操作部６が開かれて操作スイッチ群７が現れることになる。尚、本例の場合も開閉蓋２が揺動アーム５１の高さ変化分だけ緩やかな円弧軌道を描いて横ずれ移動するが、揺動アームの連結部５１Ｂを長孔などのルーズホールにして開閉蓋２をステージ８と一定の距離を保ったまま横ずれ移動させることもできる。
【００３６】
次に、開閉蓋２の横ずれ移動により現れる操作スイッチ７Ａを押圧操作すると、図示せぬ制御回路を介してモータ４３に開閉蓋２を回転移動させるための制御信号が発信されるのであり、これによりモータ４３が再駆動して原動節４１に再び回転角変位を与えることになる。特に、モータ４３は原動節の突起４２が図１３に示す中継点Ｍ１  から図１４に示す終点Ｍ２  に到達するまで駆動される。つまり、原動節４１は操作スイッチ７Ａの操作時に、モータ４３によって突起４２が中継点Ｍ１  から終点Ｍ２  に到達するまでの回転角変位を与えられるのである。このとき、突起４２がブラケットのガイド溝５０と係合しながら終点Ｍ２  に向けて移動する一方、揺動アーム５１は案内ピン５２をカム溝５３に係合させたまま静止状態に保たれる。特に、突起４２はガイド溝５０内で円軌道を描いて移動しながらガイド溝５０の側壁を押圧するのであり、このためブラケット４９が揺動アーム５１との連結部５１Ｂを中心として原動節４１と逆向きに揺動される。この結果、開閉蓋２が回転移動されてステージ８を図３に示すよう全開状態とすることになる。
【００３７】
尚、この状態で操作スイッチ７Ａを再度操作すれば、方向変換機構４０が上述と逆の動作をしてステージ８を部分閉鎖するよう回転移動し、次いで操作スイッチ４を操作すれば同じく開閉蓋２が前方に向けて横ずれ移動してステージ８が全閉される。
【００３８】
つまり、開閉蓋２の全開時に操作スイッチ７Ａを操作することにより、モータ４３が逆転して原動節の突起４２を終点Ｍ２  から中継点Ｍ１  まで移動させ、次いで操作スイッチ４が操作されることにより突起４２を中継点Ｍ１  から始点Ｍ０  へ移動させるようモータ４３が駆動するのである。尚、本例においても開閉蓋２の全開時に操作スイッチ４を操作ことにより、開閉蓋２が全閉状態になるまでモータ４３が連続して駆動するよう制御回路を構成することができる。
【００３９】
以上、本発明をディスクプレーヤを例にして説明したが、本発明はテープレコーダやビデオデッキなどにも適用できる。ここで、ステージには駆動体としてのターンテーブルに代えてピンチローラや磁気ヘッドが設けられる。
【００４０】
【発明の効果】
以上の説明で明らかなように、本発明によれば操作スイッチ群を開閉蓋によって遮蔽できるようにしていることから、非使用時に操作スイッチ群を誤操作してしまうことがない上、体裁も損なわれない。
【００４１】
又、選曲や音量調整といった主要な操作を情報記録媒体を遮蔽したまま行うことができるので情報記録媒体や装置内部に付着する埃を可及的少なくでき、しかも情報記録媒体の交換時などには、開閉蓋の回転移動によりこれが全開となるようにしているので、筺体に開閉蓋の動作領域を大きく確保する必要がなく、このため装置の小型、軽量化を容易にできる。
【００４２】
更に、開閉蓋に横ずれ移動と回転移動とをさせための方向変換機構が一つの動力源により作動されることから、これを小型にして場所を取らずに装置することができる。
【図面の簡単な説明】
【図１】本発明の好適な一例として示したディスクプレーヤの斜視概略図
【図２】同装置において開閉蓋が部分的に開放された状態を示す斜視概略図
【図３】同装置において開閉蓋が全開された状態を示す斜視概略図
【図４】開閉蓋を双方向に開閉させる方向変換機構を部分的に破断して示した正面図
【図５】同機構の他の部位を破断して示した平面図
【図６】同機構の初期状態を示す側面概略図（蓋の全閉時）
【図７】同機構による開閉蓋の横ずれ移動中の状態を示す側面概略図
【図８】同機構による開閉蓋の横ずれ移動後の状態を示す側面概略図（蓋の半開時）
【図９】同機構による開閉蓋の回転移動中の状態を示す側面概略図
【図１０】同機構による開閉蓋の回転移動中の状態を示す側面概略図
【図１１】同機構による開閉蓋の回転移動後の状態を示す側面概略図（蓋の全開時）
【図１２】他の方向変換機構の初期状態を示す側面概略図（蓋の全閉時）
【図１３】同機構による開閉蓋の横ずれ移動後の状態を示す側面概略図（蓋の半開時）
【図１４】同機構による開閉蓋の回転移動後の状態を示す側面概略図（蓋の全開時）
【符号の説明】
１  筺体
２  開閉蓋
４  第１の操作スイッチ
６  操作部
７  操作スイッチ群
７Ａ  第２の操作スイッチ
８  ステージ
９  装填部
２０、４０  方向変換機構
２１、４１原動節
２２  従動節
２３、５１  揺動アーム
２４  支持アーム
２６、４３  モータ（動力源）
４９  ブラケット
【図１】
0003562394.tif 000002
【図２】
0003562394.tif 000003
【図３】
0003562394.tif 000004
【図４】
0003562394.tif 000005
【図５】
0003562394.tif 000006
【図６】
0003562394.tif 000007
【図７】
0003562394.tif 000008
【図８】
0003562394.tif 000009
【図９】
0003562394.tif 000010
【図１０】
0003562394.tif 000011
【図１１】
0003562394.tif 000012
【図１２】
0003562394.tif 000013
【図１３】
0003562394.tif 000014
【図１４】
0003562394.tif 000015